(57)【要約】【課題】コンパクトなバッグとして使用できるように簡易に折り畳むことが可能な携帯用ベッドを提供する。【解決手段】携帯用ベッドは、底面部と第１側壁部と第２側壁部とポケットとを備える。底面部は、概ね矩形状であり、第１長辺、第２長辺、第１短辺及び第２短辺を有する。第１側壁部は、第１側壁中央部を有し、展開状態において第１長辺から起立する。第２側壁部は、第２側壁中央部を有し、展開状態において第２長辺から起立する。ポケットは、第１側壁部の外面に第１側壁中央部を避けて配置される。この携帯用ベッドは、展開状態から、第１側壁部及び第２側壁部の内面が底面部の上面と対面する中間状態に折り畳み可能である。また、この携帯用ベッドは、中間状態から、ポケットが外側にくるように、第１及び第２側壁中央部に沿って、第１側壁部、第２側壁部及び底面部が折り曲げられた状態である折畳状態に折り畳み可能である。【選択図】図１
2015054174.tif 000002
【特許請求の範囲】
【請求項１】
ベッドとして使用する展開状態と、バッグとして使用する折畳状態とに変形可能な携帯用ベッドであって、
概ね矩形状であり、第１長辺、第２長辺、第１短辺及び第２短辺を有するとともに、前記第１長辺の中央付近と前記第２長辺の中央付近との間に延びる底面中央部を有する底面部と、
前記第１長辺の中央付近から前記第１長辺に対し概ね垂直に延びる第１側壁中央部を有し、前記展開状態において前記第１長辺から起立する第１側壁部と、
前記第２長辺の中央付近から前記第２長辺に対し概ね垂直に延びる第２側壁中央部を有し、前記展開状態において前記第２長辺から起立する第２側壁部と、
前記第１側壁部の外面に前記第１側壁中央部を避けて配置される第１ポケットと
を備え、
前記展開状態から、前記第１側壁部及び前記第２側壁部の内面が前記底面部の上面と対面する中間状態に折り畳み可能に構成されており、
前記中間状態から、前記第１ポケットが外側にくるように、前記第１側壁中央部、前記第２側壁中央部及び前記底面中央部に沿って、前記第１側壁部、前記第２側壁部及び前記底面部が折り曲げられた状態である前記折畳状態に折り畳み可能に構成されている、
携帯用ベッド。
【請求項２】
前記展開状態において前記第１短辺から起立する第３側壁部と、
前記展開状態において前記第２短辺から起立する第４側壁部と
をさらに備える、
請求項１に記載の携帯用ベッド。
【請求項３】
前記第３側壁部は、前記第１短辺が延びる方向の両端部において、前記第１側壁部及び前記第２側壁部における前記第１短辺側の端部に分離不能に連続しており、
前記第４側壁部は、前記第２短辺が延びる方向の両端部において、前記第１側壁部及び前記第２側壁部における前記第２短辺側の端部に分離不能に連続している、
請求項２に記載の携帯用ベッド。
【請求項４】
前記第２側壁部の外面に前記第２側壁中央部を避けて配置される第２ポケット
をさらに備え、
前記第１ポケット及び前記第２ポケットは、それぞれ前記第１側壁中央部及び前記第２側壁中央部よりも前記第１短辺側に配置されている、
請求項１から３のいずれかに記載の携帯用ベッド。
【請求項５】
前記第１側壁部の外面に、前記第１側壁中央部を挟んで前記第１ポケットの反対側に配置される第３ポケットと、
前記第２側壁部の外面に、前記第２側壁中央部を挟んで前記第２ポケットの反対側に配置される第４ポケットと
をさらに備える、
請求項４に記載の携帯用ベッド。
【請求項６】
前記第１ポケット、前記第２ポケット、前記第３ポケット及び前記第４ポケットは、サイズ及び配置に関し、前記底面部の中心を通って前記第１長辺及び前記第２長辺に平行な面、及び、前記底面部の中心を通って前記第１短辺及び前記第２短辺に平行な面に対して概ね対称的に構成されている、
請求項５に記載の携帯用ベッド。
【請求項７】
前記第１長辺の中央付近から前記第２長辺の中央付近まで延びる取手部
をさらに備える、
請求項１から６のいずれかに記載の携帯用ベッド。
【請求項８】
平面視において前記底面部と概ね同じ形状に展開されるように付勢されているとともに、前記第１ポケットに収納可能な大きさまで折り畳むことが可能な中敷
をさらに備える、
請求項１から７のいずれかに記載の携帯用ベッド。
【請求項９】
前記第１ポケットは、少なくとも前記第１側壁部と対向する部位において、断熱材を用いて形成されている、
請求項１から８のいずれかに記載の携帯用ベッド。
【発明の詳細な説明】
【技術分野】
【０００１】
本発明は、ベッドとして使用する展開状態と、バッグとして使用する折畳状態とに変形可能な携帯用ベッドに関する。
【背景技術】
【０００２】
従来より、ベッドとして使用する状態と、バッグとして使用する状態とに変形可能な携帯用ベッドが公知である（特許文献１，２等参照）。この種の製品は、典型的には、乳幼児を連れて外出する親により使用される。すなわち、この携帯用ベッドは、移動中は、持ち運び易いようにコンパクトに折り畳まれてバッグの形態となる。このバッグの外面にはポケットが設けられており、このポケット内にタオルやおむつ、哺乳瓶等の乳幼児のケアに必要な製品を収納しておくことができる。或いは、勿論、このポケットは、財布や携帯電話等、特に乳幼児のケアに関係のない物を収納するのにも使用することができる。そして、外出先でおむつを替えたり、乳幼児を休ませたりする場合には、ユーザはバッグを展開し、ベッドとして組み立て直す。
【０００３】
特許文献１では、この携帯用ベッドにバッグとしての機能を与えるポケットが、乳幼児の寝かされるマットの下面に形成されている。従って、外出先でベッドとして使用する場合には、乳幼児を平らなマット上に快適に寝かすため、ポケット内の収納物を取り出す必要があり、手間である。また、このとき、ポケットから取り出された収納物を安全かつ清潔に保管しておくための場所を確保することは、外出先であるという事情を考慮すると難しい。
【０００４】
一方、特許文献２では、マットの周囲から起立する側壁部にポケットが形成されている。従って、ベッドとして使用している間も、ポケット内に収納物を収納しておくことができる。
【先行技術文献】
【特許文献】
【０００５】
【特許文献１】実用新案登録第３１６２７３９号公報
【特許文献２】特開２００３−１９０１５号公報
【発明の概要】
【発明が解決しようとする課題】
【０００６】
しかしながら、特許文献２のポケットは、矩形状のマットの長辺から起立する側壁部の外面において、当該長辺方向の中央部に配置されている。そして、このようなポケットの配置では、ポケット及びその収納物が邪魔をするため、マット及びその長辺に沿った側壁部を長辺方向に半分に折り曲げることができず、ベッドをコンパクトに折り畳むことができない。事実、特許文献２の携帯用ベッドは、バッグとなるように折り畳まれたとき、そのバッグの幅はマットの長辺の長さに等しい。これでは、バッグが大き過ぎ、持ち運びに適さない。なお、ポケット内を空にしておけば、無理矢理にこのような折り曲げも可能かもしれないが、その場合には、バッグとしての使用ができなくなる。
【０００７】
本発明は、コンパクトなバッグとして使用できるとともに、ベッドとしての使用時に収納物を収納したままにしておくことが可能なポケットを有する携帯用ベッドを提供することを目的とする。
【課題を解決するための手段】
【０００８】
本発明の第１観点に係る携帯用ベッドは、ベッドとして使用する展開状態と、バッグとして使用する折畳状態とに変形可能な携帯用ベッドであって、底面部と、第１側壁部と、第２側壁部と、第１ポケットとを備える。底面部は、概ね矩形状であり、第１長辺、第２長辺、第１短辺及び第２短辺を有するとともに、第１長辺の中央付近と第２長辺の中央付近との間に延びる底面中央部を有する。第１側壁部は、第１長辺の中央付近から第１長辺に対し概ね垂直に延びる第１側壁中央部を有し、展開状態において第１長辺から起立する。第２側壁部は、第２長辺の中央付近から第２長辺に対し概ね垂直に延びる第２側壁中央部を有し、展開状態において第２長辺から起立する。第１ポケットは、第１側壁部の外面に第１側壁中央部を避けて配置される。この携帯用ベッドは、展開状態から、第１側壁部及び第２側壁部の内面が底面部の上面と対面する中間状態に折り畳み可能に構成されている。また、この携帯用ベッドは、中間状態から、第１ポケットが外側にくるように、第１側壁中央部、第２側壁中央部及び底面中央部に沿って、第１側壁部、第２側壁部及び底面部が折り曲げられた状態である折畳状態に折り畳み可能に構成されている。
【０００９】
ここでは、折畳式の携帯用ベッドが提供される。この携帯用ベッドは、マット面となる概ね矩形状の底面部を有し、この底面部を第１長辺側から囲う第１側壁部の外面に、第１ポケットが設けられている。従って、第１ポケット内の収納物は、ベッドとしての使用時に邪魔にならない。また、第１ポケットは、第１側壁部における長辺方向の中央部（第１側壁中央部）を避けるように配置されている。従って、この携帯用ベッドは、底面部の長辺方向に概ね半分に折り畳むことができる。以上より、この携帯用ベッドは、コンパクトなバッグとして使用できるとともに、ベッドとしての使用時にポケット内に収納物を収納したままにしておくことができる。
【００１０】
本発明の第２観点に係る携帯用ベッドは、第１観点に係る携帯用ベッドであって、展開状態において第１短辺から起立する第３側壁部と、展開状態において第２短辺から起立する第４側壁部とをさらに備える。
【００１１】
ここでは、マット面となる底面部が４方向から側壁部により囲まれるため、ベッドに寝かされている乳幼児が動き回ったとしても、マット面からはみ出す虞が低減される。従って、乳幼児を快適に休ませることができる。なお、本発明に係る携帯用ベッドは、典型的には乳幼児のベッドとして使用可能であるが、これに限らず、例えば、ペットのためにも使用可能である。
【００１２】
本発明の第３観点に係る携帯用ベッドは、第２観点に係る携帯用ベッドであって、第３側壁部は、第１短辺が延びる方向の両端部において、第１側壁部及び第２側壁部における第１短辺側の端部に分離不能に連続している。第４側壁部は、第２短辺が延びる方向の両端部において、第１側壁部及び第２側壁部における第２短辺側の端部に分離不能に連続している。
【００１３】
ここでは、４つの側壁部が環状に形成されており、分離不能である。従って、ベッドとしての使用時に、側壁部どうしを連結して組み立てる必要がなく、ベッドを簡易に展開することができる。
【００１４】
本発明の第４観点に係る携帯用ベッドは、第１観点から第３観点のいずれかに係る携帯用ベッドであって、第２ポケットをさらに備える。第２ポケットは、第２側壁部の外面に第２側壁中央部を避けて配置される。第１ポケット及び第２ポケットは、それぞれ第１側壁中央部及び第２側壁中央部よりも第１短辺側に配置されている。
【００１５】
ここでは、第１ポケットに加え、底面部を第２長辺側から囲う第２側壁部の外面に、第２ポケットが設けられている。また、第２ポケットは、第１ポケットの場合と同じく、第２側壁部における長辺方向の中央部（第２側壁中央部）を避けるように配置されている。従って、この携帯用ベッドは、依然としてコンパクトに折り畳むことができるとともに、収納容量がさらに確保される。
【００１６】
本発明の第５観点に係る携帯用ベッドは、第４観点に係る携帯用ベッドであって、第３ポケットと、第４ポケットとをさらに備える。第３ポケットは、第１側壁部の外面に、第１側壁中央部を挟んで第１ポケットの反対側に配置される。第４ポケットは、第２側壁部の外面に、第２側壁中央部を挟んで第２ポケットの反対側に配置される。
【００１７】
ここでは、第１側壁部の外面に、第１側壁中央部を挟んで両側にポケット（第１ポケット及び第３ポケット）が設けられている。また、第２側壁部の外面にも、第２側壁中央部を挟んで両側にポケット（第２ポケット及び第４ポケット）が設けられている。従って、この携帯用ベッドは、依然としてコンパクトに折り畳むことができるとともに、収納容量がさらに確保される。
【００１８】
本発明の第６観点に係る携帯用ベッドは、第５観点に係る携帯用ベッドであって、第１ポケット、第２ポケット、第３ポケット及び第４ポケットは、サイズ及び配置に関し、底面部の中心を通って第１長辺及び第２長辺に平行な面、及び、底面部の中心を通って第１短辺及び第２短辺に平行な面に対して概ね対称的に構成されている。
【００１９】
従って、この携帯用ベッドは全体としての重量バランスがよく、携帯用ベッドを展開状態に維持し易くなる。
【００２０】
本発明の第７観点に係る携帯用ベッドは、第１観点から第６観点のいずれかに係る携帯用ベッドであって、第１長辺の中央付近から第２長辺の中央付近まで延びる取手部をさらに備える。
【００２１】
この携帯用ベッドは、取手部により持ち運びが容易であり、バッグとしての使用に適している。
【００２２】
本発明の第８観点に係る携帯用ベッドは、第１観点から第７観点のいずれかに係る携帯用ベッドであって、中敷をさらに備える。中敷は、平面視において底面部と概ね同じ形状に展開されるように付勢されるとともに、第１ポケットに収納可能な大きさまで折り畳むことが可能である。
【００２３】
この携帯用ベッドは、中敷を有する。この中敷は、平面視において底面部と概ね同じ形状に展開されるように付勢されているが、外力を加えれば、折り畳むことができる。従って、ベッドとしての使用時に、この中敷を底面部に重ねて使用すれば、マット面の強度を確保することができる。そのため、乳幼児をベッドに寝かせたままの状態でベッドを持ち上げたとしても、乳幼児の重量等のせいでマット面が折れ曲がってしまうことを防ぐことができる。従って、乳幼児を寝かせたまま、ベッドを持ち運ぶことも可能になる。また、この中敷は、バッグとしての使用時には、折り畳んでポケット内に収納しておくことができる。
【００２４】
本発明の第９観点に係る携帯用ベッドは、第１観点から第８観点のいずれかに係る携帯用ベッドであって、第１ポケットは、少なくとも第１側壁部と対向する部位において、断熱材を用いて形成されている。
【００２５】
従って、ここでは、周壁部のポケットに使い捨てカイロ等の保温材、又は保冷剤を収納しておけば、温度を外部環境に逃がさず、ベッド上の乳幼児を適切な温度条件下で休ませることができる。
【発明の効果】
【００２６】
本発明によれば、折畳式の携帯用ベッドが提供される。この携帯用ベッドは、マット面となる概ね矩形状の底面部を有し、この底面部を第１長辺側から囲う第１側壁部の外面に、第１ポケットが設けられている。従って、第１ポケット内の収納物は、ベッドとしての使用時に邪魔にならない。また、第１ポケットは、第１側壁部における長辺方向の中央部（第１側壁中央部）を避けるように配置されている。従って、この携帯用ベッドは、底面部の長辺方向に概ね半分に折り畳むことができる。以上より、この携帯用ベッドは、コンパクトなバッグとして使用できるとともに、ベッドとしての使用時にポケット内に収納物を収納したままにしておくことができる。
【図面の簡単な説明】
【００２７】
【図１】本発明の一実施形態に係る展開状態の携帯用ベッドの外観斜視図である。
【図２】図１とは反対側から見た展開状態の携帯用ベッドの外観斜視図である。
【図３】折畳状態の携帯用ベッドの外観斜視図である。
【図４】図３とは反対側から見た折畳状態の携帯用ベッドの外観斜視図である。
【図５】中間状態の携帯用ベッドの外観斜視図である。
【図６】側壁部を外側から見た図である。
【図７】シート体の平面図である。
【図８Ａ】展開状態の中敷の平面図である。
【図８Ｂ】折畳状態の中敷の外観図である。
【発明を実施するための形態】
【００２８】
以下、図面を参照しつつ、本発明の一実施形態に係る折畳式の携帯用ベッドについて説明する。
＜１．携帯用ベッド＞
図１〜図４に、本実施形態に係る折畳式の携帯用ベッド１の外観斜視図を示す。携帯用ベッド１は、ベッドにも、バッグにも変形可能であり、この意味で、以下、携帯用ベッド１を、バッグ１と呼ぶことがある。図１及び図２は、携帯用ベッド１がベッドとして使用される展開状態を示しており、図３及び図４は、携帯用ベッド１が、バッグとして使用される折畳状態を示している。なお、図２は、図１の展開状態の携帯用ベッド１を矢印Ａ１の方向から見た外観斜視図であり、図４は、図３の折畳状態のバッグ１を矢印Ａ２の方向から見た外観斜視図である。
【００２９】
携帯用ベッド１は、典型的には、乳幼児を連れて外出する親により使用される。すなわち、携帯用ベッド１は、移動中は、持ち運び易いようにコンパクトに折り畳まれて、図３及び図４に示すバッグの形態となる。折畳状態のバッグ１の外面には、４つのポケット３１〜３４が設けられており、これらのポケット３１〜３４内にタオルやおむつ、哺乳瓶等の乳幼児のケアに必要な製品を収納しておくことができる。或いは、勿論、これらのポケット３１〜３４は、財布や携帯電話等、特に乳幼児のケアに関係のない物を収納するのにも使用することができる。そして、外出先でおむつを替えたり、乳幼児を休ませたりする場合には、ユーザはバッグ１を展開し、図１及び図２に示すベッドとして組み立て直す。また、携帯用ベッド１は、後述するとおり、その中に乳幼児を休ませた状態で持ち運ぶことが可能に構成されている。また、携帯用ベッド１は、不使用時にも折畳状態に折り畳んでおくことで、場所を取ることなくクローゼット等の中にコンパクトに収納しておくことができる。なお、本実施形態では、携帯用ベッド１が乳幼児のケアに使用される場合を例に説明するが、携帯用ベッド１の用途はこれに限られず、例えば、ペットのためにも使用可能である。
【００３０】
以下、携帯用ベッド１の構成について、詳細に説明する。携帯用ベッド１は、布製の本体部２を備え、本体部２は、ベッドとして使用される展開状態において、概ね矩形の箱型の形状を有する。すなわち、本体部２は、マット面となる概ね矩形状の底面部１０と、展開状態においてこの底面部１０を４方向から囲む４つの側壁部２１〜２４とを有する。側壁部２１〜２４は各々、概ね矩形状である。側壁部２１〜２４は、ベッドに寝かされている乳幼児がマット面からはみ出さないようにするための囲いとなる。
【００３１】
側壁部２１，２２はそれぞれ、底面部１０の長辺１０ａ，１０ｂに沿って底面部１０に縫合されており、展開状態において長辺１０ａ，１０ｂから起立する。同様に、側壁部２３，２４もそれぞれ、底面部１０の短辺１０ｃ，１０ｄに沿って底面部１０に縫合されており、展開状態において短辺１０ｃ，１０ｄから起立する。また、側壁部２３は、短辺１０ｃが延びる方向の両端部において、側壁部２１，２２における短辺１０ｃ側（側壁部２３側）の端部に縫合されている。同様に、側壁部２４も、短辺１０ｄが延びる方向の両端部において、側壁部２１，２２における短辺１０ｄ側（側壁部２４側）の端部に縫合されている。すなわち、側壁部２１〜２４は、全体として概ね矩形の環状に形成されており、底面部１０及び側壁部２１〜２４は、互いに分離不能である。その結果、携帯用ベッド１をベッドとして使用する時に、底面部１０及び側壁部２１〜２４を連結させるように組み立てる必要がなく、バッグ１からベッド１へと簡易に展開することができる。
【００３２】
図１及び図２に示すように、ポケット３１，３３は、側壁部２１の外面に取り付けられており、ポケット３２，３４は、側壁部２２の外面に取り付けられている。一方、本実施形態では、側壁部２３，２４及び底面部１０には、ポケットは取り付けられていない。ポケット３１〜３４は、それぞれ側壁部２１，２２と対向する部分３１ａ〜３４ａと、ポケット３１〜３４に奥行を与えるマチの部分３１ｂ〜３４ｂとを有する。ポケット３１，３３は、側壁部２１の中央部２１ａを避けるように配置されており、ポケット３２，３４も、側壁部２２の中央部２２ａを避けるように配置されている。なお、側壁部２１の中央部２１ａとは、長辺１０ａが延びる方向の中央部であり、すなわち、長辺１０ａの中央付近から長辺１０ａに対し概ね垂直に延びる部位である。同様に、側壁部２２の中央部２２ａも、長辺１０ｂが延びる方向の中央部であり、すなわち、長辺１０ｂの中央付近から長辺１０ｂに対し概ね垂直に延びる部位である。
【００３３】
ポケット３１〜３４は、形状、サイズ及び配置に関し、底面部１０の中心を通って長辺１０ａ，１０ｂに平行な仮想面、及び、底面部１０の中心を通って短辺１０ｃ，１０ｄに平行な仮想面に対して概ね対称的に構成されている。すなわち、側壁部２１のポケット３１，３３は、概ね同じ形状及びサイズを有しており、中央部２１ａを挟んで反対側に、中央部２１ａに対して概ね対称的に配置されている。同様に、側壁部２２のポケット３２，３４は、概ね同じ形状及びサイズを有しており、中央部２２ａを挟んで反対側に、中央部２２ａに対して概ね対称的に配置されている。従って、携帯用ベッド１は全体としての重量バランスがよく、携帯用ベッド１を展開状態に維持し易くなる。また、ポケット３１，３３の取出口は、ともに中央部２１ａ側を向いており、ポケット３２，３４の取出口も、ともに中央部２２ａ側を向いている。これは後述するとおり、携帯用ベッド１を折り畳んでバッグ１としたときに、ポケット３１〜３４の取出口が全てバッグの使用状態において上側を向くようにするためである。ポケット３１〜３４の取出口にはそれぞれ、ポケット３１〜３４を開閉するための線ファスナー３１ｃ〜３４ｃが取り付けられている。
【００３４】
次に、携帯用ベッド１をベッドとして使用する展開状態から、バッグとして使用する折畳状態へと折り畳む方法について、説明する。まず、側壁部２１，２２を、底面部１０の長辺１０ａ，１０ｂに沿って底面部１０側に折り曲げ、ベッド１を図５に示す中間状態に変形させる。この中間状態では、側壁部２１，２２の内面は、底面部１０の上面と対面して接触し、かつ、側壁部２１，２２の上端縁２１ｂ，２２ｂは、互いに概ね平行となり、上下に重なる。なお、本実施形態の説明において、携帯用ベッド１の部位についての上下とは、特に断らない限り、展開状態における上下を意味する。図１に示すように、側壁部２１の上端縁２１ｂの外面側には、長辺１０ａの方向の両端部及び中央部の三箇所において、面ファスナー５１が取り付けられている。また、これらに対応するように、側壁部２２の上端縁２２ｂの内面側にも、長辺１０ｂの方向の両端部及び中央部の三箇所において、面ファスナー５２が取り付けられている。そして、中間状態において、これらの面ファスナー５１，５２をそれぞれ固定することにより、折畳状態において、図３に矢印Ａ３で示す方向に側壁部２１，２２が移動しにくくなっており、バッグ１の形状を確実に保つことができる。なお、面ファスナー５１，５２は、側壁部２１の上端縁２１ｂの内面側と、側壁部２２の上端縁２２ｂの外面側とに設けるようにしてもよいし、省略してもよい。また、面ファスナー５１，５２の数は、適宜変更することが可能であり、さらに、面ファスナー５１，５２に代えて、ボタン等の別の連結要素を配置してもよい。
【００３５】
また、この中間状態では、側壁部２３，２４は、底面部１０と側壁部２１，２２との間に折り込まれており、外側からは見えない。すなわち、側壁部２３，２４は、側壁部２３，２４の内面が、底面部１０の上面と対面して接触するように折り曲げられる。具体的には、側壁部２３は、図６に示すような折り目線Ｌ１に沿って、右上の領域Ｐ１が下中央からやや右側の領域Ｐ２に重なり、左上の領域Ｐ３が下中央からやや左側の領域Ｐ４に重なるように、谷折りされる。側壁部２４についても同様である。
【００３６】
次に、この中間状態から、ポケット３１〜３４が外側にくるように、側壁部２１，２２の中央部２１ａ，２２ａ及び底面部１０の中央部１０ｅに沿って、側壁部２１，２２及び底面部１０を折り曲げる。これにより、図３及び図４に示す折畳状態のバッグ１が形成される。なお、底面部１０の中央部１０ｅとは、長辺１０ａ，１０ｂが延びる方向の中央部であり、すなわち、長辺１０ａの中央付近と長辺１０ｂの中央付近との間に延びる部位である。
【００３７】
また、図１及び図２に示すように、底面部１０と側壁部２１，２２との連結部位の近傍あって、長辺１０ａ，１０ｂの方向の両端付近の４つの箇所には、タグ５３が縫い付けられている。これらのタグ５３は、展開状態において、底面部１０から外方に突出するように固定されている。そして、図３及び図４に示すように、これらのタグ５３は、折畳状態において、バッグ１のマチの部分の下部付近に配置されることになる。このとき、ポケット３１，３３の近傍のタグ５３，５３どうしがペアを形成するとともに、ポケット３２，３４の近傍のタグ５３，５３どうしもペアを形成する。そして、ペアを形成するタグ５３，５３には、両者を取り外し可能に連結するための要素が取り付けられており、折畳状態でこれらの要素を連結することで、バッグ１が図３に示すＡ４方向に開くことが防止される。なお、このような連結要素は、例えば、ペアを形成するタグ５３，５３にスナップボタンを取り付けたり、面ファスナーを取り付けたり、一方のタグ５３にボタンを取り付け、他方のタグ５３にボタン穴を形成したりすることにより実現される。また、タグ５３，５３のペアの取り付け位置や数は、適宜選択可能であり、タグ５３を省略することも可能である。
【００３８】
また、図３に示すように、ポケット３１，３２の外面にはそれぞれ、取出口３５ａ，３６ａがバッグの使用状態において上側を向くサイドポケット３５，３６が取り付けられている。なお、ポケット３１〜３４は、マチを有するポケットであるが、サイドポケット３５，３６は、平面的でありマチはない。従って、サイドポケット３５，３６の存在は、上述した携帯用ベッド１の重量バランスを殆ど損なうことがない。むしろ、サイドポケット３５，３６の存在は、バッグ１の収納能力を増加させるだけでなく、デザイン性の観点でも優れている。
【００３９】
底面部１０及び側壁部２３，２４は、複数枚の布の多重構造体である。より具体的には、底面部１０及び側壁部２３，２４は、軽量で薄いナイロン素材の布を２重に重ねて外周を縫合することにより形成されており、その結果、全体として軽量で薄く、かつ、強度が保たれている。また、そのため、中間状態において、底面部１０と側壁部２１，２２との間に挟み込まれる側壁部２３，２４のせいで、側壁部２１，２２が浮き上がることがない。従って、中間状態の携帯用ベッド１は、概ね平面状となり、折畳状態への折り曲げが容易となる。
【００４０】
携帯用ベッド１は、箱型の本体部２に加えて、底面部１０の上に配置するためのシート体３（図７参照）を備えている。シート体３は、底面部１０と概ね同じ矩形状である。シート体３は、下側にナイロン素材の布を配置し、上側にクッション性に優れたキルト布を配置した多重構造体である。このキルト布の表地は、綿やポリエステル等からなる肌触りの良い布で形成されている。従って、このシート体３をキルト面を上に向けて底面部１０の上に敷いておくことで、乳幼児に快適な環境を提供することができる。また、シート体３のナイロン素材の裏地により、乳幼児の尿等を捉えることができ、携帯用ベッド１の本体部２を汚してしまうことがない。汚れたシート体３については、本体部２から分離可能であるから、洗濯が容易である。なお、シート体３は、底面部１０上に配置したままで、携帯用ベッド１をバッグ１へと折り畳むことが可能な程度に薄く構成されている。
【００４１】
側壁部２１，２２は、外面側にナイロン素材の布を配置し、内面側にキルト布を配置した多重構造体である。このキルト布の表地も、綿やポリエステル等からなる肌触りの良い布で形成されている。また、これらの２枚の布の間には、側壁部２１，２２の折り曲げを損なわないよう側壁部２１，２２の中央部２１ａ，２２ａを避けて、肉厚で軽量のウレタン製のクッション部材が縫い込まれている。そのため、側壁部２１，２２の強度が増し、携帯用ベッド１をより容易に展開状態に維持することができる。
【００４２】
図１及び図２に示すように、側壁部２１，２２の内面側において、中央部２１ａ，２２ａの上部には、リング部材４１，４１が取り付けられている。リング部材４１，４１は、細長い取手ひも６０を取り付けるための機構であり、取手ひも６０は、両端にフック式のジョイント部材６１，６２を有している。そして、図１及び図２に示すように、ジョイント部材６１，６２をそれぞれリング部材４１，４１に連結すると、携帯用ベッド１を展開状態で持ち運ぶことができるようになる。
【００４３】
また、図３及び図４に示すように、側壁部２１，２２の外面側において、中央部２１ａ，２２ａの下部付近、すなわち、底面部１０の長辺１０ａ，１０ｂの中央付近には、リング部材４１，４１とは別に、リング部材４２，４２が取り付けられている。そして、取手ひも６０ものジョイント部材６１，６２を、リング部材４１，４１から取り外して、これらのリング部材４２，４２に連結すると、携帯用ベッド１を折畳状態で持ち運ぶことができるようになる。
【００４４】
また、携帯用ベッド１は、図８Ａに示すような中敷４を備えている。中敷４は、底面部１０及びシート体３と概ね同じ矩形状であり、シート体３と底面部１０との間に配置される。中敷４は、概ね矩形の環状の金属製のフレーム７１と、このフレーム７１に外周部７２ａが縫い付けられたナイロン素材の布７２とからなる。布７２は、布７２の広がる面に対し垂直に加わった力に対し反発力を生じさせるように、フレーム７１に対し緩みなく縫い付けられている。
【００４５】
中敷４は、携帯用ベッド１を、展開状態であってその中に乳幼児を寝かせている状態で持ち運ぶ場合に、底面部１０とシート体３と間に挿入される。これにより、乳幼児が寝かされている状態の携帯用ベッド１が持ち上げられたとしても、中敷４の張力が、柔軟な底面部１０及びシート体３を補強し、底面部１０を概ね矩形状に維持する。従って、ユーザは、携帯用ベッド１内に乳幼児を休ませたまま、携帯用ベッド１を安心して持ち運ぶことができる。
【００４６】
また、フレーム７１は、超弾性を有する形状記憶ワイヤーであり、概ね矩形の環状に展開された状態を維持するように付勢されている。しかしながら、ユーザが中敷４のフレーム７１の部分を手で持って力を加えると、中敷４を図８Ｂに示すように小型に変形させることができ、ポケット３１〜３４に収納しておくことが可能である（図５参照）。従って、このフレーム７１は、携帯用ベッド１の折畳状態における小型化を妨げない。また、中敷４は、中敷４に加えられている力が取り除かれると、底面部１０と同様の形状に自動的に復帰する。
【００４７】
また、ポケット３１〜３４は、底面部１０及び側壁部２３，２４と同じく、複数枚のナイロン素材の布の多重構造体である。より具体的には、ポケット３１〜３４は、軽量で薄いナイロン素材の布を２重に重ねて外周を縫合することにより形成されている。さらに、ポケット３１，３２の外側の部分３１ａ，３２ａと、マチの部分３１ｂ，３２ｂとの内側面には、アルミ製の遮熱シート等からなる断熱材が縫い付けられている。従って、ポケット３１，３２内には、温かいミルク入りの哺乳瓶や冷たい水等、乳幼児のケアに必要な物品を適切な温度に保ちつつ収納しておくことができる。また、ポケット３１，３２内に使い捨てカイロ等の保温材、又は保冷剤を収納しておけば、温度を外部環境に逃がさず、ベッド上の乳幼児を適切な温度条件下で休ませることもできる。
【００４８】
＜２．特徴＞
上記実施形態の携帯用ベッド１では、底面部１０の長辺１０ａ，１０ｂに沿った側壁部２１，２２の外面に、ポケット３１〜３４が設けられている。従って、ポケット３１〜３４内の収納物は、ベッドとしての使用時に邪魔にならない。また、ポケット３１〜３４は、それぞれ側壁部２１，２２の中央部２１ａ，２２ａを避けるように配置されている。従って、携帯用ベッド１は、底面部１０の長辺１０ａ，１０ｂの方向に概ね半分に折り畳むことができる。すなわち、携帯用ベッド１は、コンパクトなバッグとして使用できるとともに、ベッドとしての使用時にポケット内に収納物を収納したままにしておくことができる。
【００４９】
＜３．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００５０】
＜３−１＞
上記実施形態では、シート体３を携帯用ベッド１の本体部２とは別部材とし、取り外し可能としたが、シート体３を省略してもよい。この場合、綿やポリエステル等からなるキルトのような、肌触りがよくクッション性に優れた布を、底面部１０の上面に分離不能に縫い付ける構成とすることが好ましい。
【００５１】
＜３−２＞
上述した携帯用ベッド１の各部の素材は例示であり、適宜変更することができる。また、上記実施形態において多重構造体として説明された部位は、勿論、１枚の布から形成することもできる。
【００５２】
＜３−３＞
ポケット３１〜３４は、最大３つまで、適宜省略することができる。ポケット３１，３２の少なくとも一方の断熱構造は省略することもできるし、また、同様の断熱構造をポケット３３，３４の少なくとも一方にも適用することができる。
【符号の説明】
【００５３】
１  携帯用ベッド
４  中敷
１０  底面部
１０ａ，１０ｂ  長辺（第１長辺、第２長辺）
１０ｃ，１０ｄ  短辺（第１短辺、第２短辺）
１０ｅ  中央部（底面中央部）
２１〜２４  側壁部（第１側壁部〜第４側壁部）
２１ａ，２２ａ  中央部（第１側壁中央部、第２側壁中央部）
３１〜３４  ポケット（第１ポケット〜第４ポケット）
６０  取手ひも（取手部）
【図１】
2015054174.tif 000003
【図２】
2015054174.tif 000004
【図３】
2015054174.tif 000005
【図４】
2015054174.tif 000006
【図５】
2015054174.tif 000007
【図６】
2015054174.tif 000008
【図７】
2015054174.tif 000009
【図８Ａ】
2015054174.tif 000010
【図８Ｂ】
2015054174.tif 000011